(57)【要約】【課題】ディスクリネーションによる画質の低下を軽減することが可能な液晶駆動装置を提供する。【解決手段】液晶素子（３）を駆動する液晶駆動装置（３０３）であって、連続して入力される入力フレーム画像データのそれぞれに対して第１のフレーム画像データおよび第２のフレーム画像データを生成する画像データ生成手段（４１１、４１２、４１３）と、第１のフレーム画像データおよび第２のフレーム画像データのそれぞれに基づいて、順次、１フレーム期間に含まれる複数のサブフレーム期間のそれぞれにおいて液晶素子（３）の画素に対する第１の電圧の印加と第１の電圧よりも低い第２の電圧の印加を制御することで画素に階調を形成させる駆動手段（４１５）とを有し、画像データ生成手段は、第１のフレーム画像データおよび第２のフレーム画像データの少なくとも一方に対して、入力フレーム画像の階調に応じた値を加算する。【選択図】図１１
2018185377.tif 000002
【特許請求の範囲】
【請求項１】
液晶素子を駆動する液晶駆動装置であって、
連続して入力される入力フレーム画像データのそれぞれに対して第１のフレーム画像データおよび第２のフレーム画像データを生成する画像データ生成手段と、
前記第１のフレーム画像データおよび前記第２のフレーム画像データのそれぞれに基づいて、順次、１フレーム期間に含まれる複数のサブフレーム期間のそれぞれにおいて前記液晶素子の画素に対する第１の電圧の印加と該第１の電圧よりも低い第２の電圧の印加を制御することで該画素に階調を形成させる駆動手段と、を有し、
前記画像データ生成手段は、前記第１のフレーム画像データおよび前記第２のフレーム画像データの少なくとも一方に対して、前記入力フレーム画像の階調に応じた値を加算することを特徴とする液晶駆動装置。
【請求項２】
前記画像データ生成手段は、
所定のガンマテーブルに従って、前記第１のフレーム画像データおよび前記第２のフレーム画像データのそれぞれに対してガンマ補正を行うガンマ補正手段と、
ガンマ補正後の前記第１のフレーム画像データおよび前記第２のフレーム画像データの少なくとも一方に対して、前記入力フレーム画像の前記階調に応じた前記値を加算する加算手段と、を有することを特徴とする請求項１に記載の液晶駆動装置。
【請求項３】
前記画像データ生成手段は、ガンマテーブルに従って、前記第１のフレーム画像データおよび前記第２のフレーム画像データのそれぞれに対してガンマ補正を行うガンマ補正手段を有し、
前記ガンマ補正手段は、前記入力フレーム画像の前記階調に応じて前記ガンマテーブルを補正することにより、前記第１のフレーム画像データおよび前記第２のフレーム画像データの少なくとも一方に対して、前記入力フレーム画像の前記階調に応じた前記値を加算することを特徴とする請求項１に記載の液晶駆動装置。
【請求項４】
前記画像データ生成手段は、前記第１のフレーム画像データおよび前記第２のフレーム画像データのいずれか一方に対して、前記入力フレーム画像の前記階調に応じた前記値を加算することを特徴とする請求項１乃至３のいずれか１項に記載の液晶駆動装置。
【請求項５】
前記画像データ生成手段は、前記入力フレーム画像の前記階調に応じた前記値として、
前記第１のフレーム画像データに第１の値を加算した場合、前記第２のフレーム画像データから該第１の値を減算し、
前記第２のフレーム画像データに第２の値を加算した場合、前記第１のフレーム画像データから該第２の値を減算することを特徴とする請求項１乃至３のいずれか１項に記載の液晶駆動装置。
【請求項６】
前記画像データ生成手段は、前記入力フレーム画像の前記階調に応じて、前記値としての加算値を変更することを特徴とする請求項１乃至５のいずれか１項に記載の液晶駆動装置。
【請求項７】
前記画像データ生成手段は、隣接する２つの階調を形成するために互いに異なるように電圧を印加する前記サブフレーム期間の長さに応じて、前記加算値を変更することを特徴とする請求項６に記載の液晶駆動装置。
【請求項８】
前記画像データ生成手段は、前記フレーム画像データの前記階調に応じて、前記加算値が適用される階調範囲を変更することを特徴とする請求項６または７に記載の液晶駆動装置。
【請求項９】
前記画像データ生成手段は、隣接する２つの階調を形成するために互いに異なるように電圧を印加する前記サブフレーム期間の長さに応じて、前記階調範囲を変更することを特徴とする請求項８に記載の液晶駆動装置。
【請求項１０】
前記画像データ生成手段は、更に、前記第１のフレーム画像データよりも階調が低い第１の低階調フレーム画像データ、および、前記第２のフレーム画像データよりも階調が低い第２の低階調フレーム画像データを生成し、
前記駆動手段は、前記第１のフレーム画像データ、前記第１の低階調フレーム画像データ、前記第２のフレーム画像データ、および、前記第２の低階調フレーム画像データのそれぞれに基づいて、順次、１フレーム期間に含まれる前記複数のサブフレーム期間のそれぞれにおいて前記液晶素子の前記画素に対する前記第１の電圧の印加と前記第２の電圧の印加とを制御することで該画素に前記階調を形成させることを特徴とする請求項１乃至９のいずれか１項に記載の液晶駆動装置。
【請求項１１】
液晶素子を駆動する液晶駆動装置であって、
連続して入力される入力フレーム画像データのそれぞれに対して第１のフレーム画像データおよび第２のフレーム画像データを生成する画像データ生成手段と、
前記第１のフレーム画像データおよび前記第２のフレーム画像データのそれぞれに基づいて、順次、１フレーム期間に含まれる複数のサブフレーム期間のそれぞれにおいて前記液晶素子の画素に対する第１の電圧の印加と該第１の電圧よりも低い第２の電圧の印加を制御することで該画素に階調を形成させる駆動手段と、を有し、
前記画像データ生成手段は、前記入力フレーム画像データの前記階調に応じて補正された所定のガンマテーブルに従って、前記第１のフレーム画像データおよび前記第２のフレーム画像データのそれぞれに対してガンマ補正を行うことを特徴とする液晶駆動装置。
【請求項１２】
液晶素子と、
請求項１乃至１１のいずれか１項に記載の液晶駆動装置と、を有することを特徴とする画像表示装置。
【請求項１３】
コンピュータに、液晶素子を駆動させるプログラムであって、
連続して入力される入力フレーム画像データのそれぞれに対して第１のフレーム画像データおよび第２のフレーム画像データを生成するステップと、
前記第１のフレーム画像データおよび前記第２のフレーム画像データのそれぞれに基づいて、順次、１フレーム期間に含まれる複数のサブフレーム期間のそれぞれにおいて前記液晶素子の画素に対する第１の電圧の印加と該第１の電圧より低い第２の電圧の印加を制御することで該画素に階調を形成させるステップと、を前記コンピュータに実行させ、
前記第１のフレーム画像データおよび前記第２のフレーム画像データを生成するステップは、前記第１のフレーム画像データおよび前記第２のフレーム画像データの少なくとも一方に対して、前記入力フレーム画像の階調に応じた値を加算するステップを含むことを特徴とするプログラム。
【発明の詳細な説明】
【技術分野】
【０００１】
本発明は、液晶素子をデジタル駆動方式で駆動する液晶駆動装置に関する。
【背景技術】
【０００２】
液晶素子には、ＴＮ（Ｔｗｉｓｔｅｄ  Ｎｅｍａｔｉｃ）素子等の透過型液晶素子や、ＶＡＮ（Ｖｅｒｔｉｃａｌ  Ａｌｉｇｎｍｅｎｔ  Ｎｅｍａｔｉｃ）素子等の反射型液晶素子がある。これらの液晶素子の駆動方式には、階調に応じて、液晶層に印加する電圧を変化させることで明るさを制御するアナログ駆動方式と、液晶層に印加する電圧を２値化して電圧印加時間を変化させることで明るさを制御するデジタル駆動方式とがある。このデジタル駆動方式には、１フレーム期間を時間軸上で複数のサブフレーム期間に分割し、サブフレームごとに画素に対する所定電圧の印加（オン）と非印加（オフ）を制御することで該画素に階調を表示させるサブフレーム駆動方式がある。
【０００３】
ここで、一般的なサブフレーム駆動方式について説明する。図２０には、１フレーム期間を複数のサブフレーム期間（ビット長）に分割する例を示している。各サブフレーム上に記載された数値は、そのサブフレームの１フレーム期間内での時間重みを示す。ここでは例として、６４階調を表現する場合を示している。また、ここでの説明では、時間重み１＋２＋４＋８＋１６の期間をＡサブフレーム期間といい、時間重み３２のサブフレーム期間をＢサブフレーム期間という。さらに、上述した所定電圧をオンするサブフレーム期間をオン期間といい、所定電圧をオフするサブフレーム期間をオフ期間という。
【０００４】
図２１（Ａ）は、図２０に示したサブフレーム分割例に対応する全階調データである。図２１（Ａ）において、縦軸は階調を、横軸は１フレーム期間を示す。また、図中の白いサブフレーム期間は画素が白表示状態となるオン期間を示し、黒いサブフレーム期間は画素が黒表示状態となるオフ期間を示す。この階調データによれば、液晶素子にて互いに隣接する２画素（以下、隣接画素という）に互いに隣接する２階調（以下、隣接階調という）、例えば３２階調と３３階調を表示させる場合は、Ａサブフレーム期間を３２階調ではオン期間、３３階調ではオフ期間とする。また、Ｂサブフレーム期間を３２階調ではオフ期間、３３階調ではオン期間とする。
【０００５】
このように隣接画素にてオン期間とオフ期間が時間的に重なる、つまりは同じ期間で隣接画素の一方では所定電圧が印加され、他方では印加されていない状態が発生すると、いわゆるディスクリネーションが発生してオン期間側の画素の明るさが低下する。図２１（Ｂ）は、ディスクリネーションによる明るさ低下のイメージである。図２１（Ｂ）の上下方向は階調を示し、濃淡は表示の明るさを示している。ディスクリネーションが無い場合は滑らかな濃淡が表現されるが、隣接画素においてオン期間とオフ期間が重なる時間が長い隣接階調（ここでは３２階調と３３階調）ではディスクリネーションの影響により明るさが低下して暗線が現れる。
【０００６】
特許文献１には、１または複数の長いサブフレーム期間を、短いサブフレームの期間と等しい期間に分割することにより、複数の分割サブフレーム期間を生成する駆動回路が開示されている。また、特許文献１の駆動回路では、隣接画素に対応する階調データの各ビットの位相が異なる場合には、階調を維持した上で、一方の画素に対応する階調データのビット配列に対して、他方の画素に対応する階調データのビット配列に近づける補正を行う。これにより、長いサブフレーム期間を分割しない場合に比べれば、隣接画素においてオン期間とオフ期間とが重なるサブフレーム期間（以下、オン／オフ隣接期間という）を短くすることができる。
【０００７】
特許文献２には、フレームごとに、全画素に対応する信号データに対して、全画素共通の補正値を加算するとともに、補正値を周期的に変更するようにしてディスクリネーションを軽減する駆動方法が開示されている。
【先行技術文献】
【特許文献】
【０００８】
【特許文献１】特開２０１３−０５０６８１号公報
【特許文献２】特開２０１３−０５０６７９号公報
【発明の概要】
【発明が解決しようとする課題】
【０００９】
しかしながら、特許文献１にて開示された方法では、隣接画素でのオン／オフ隣接期間の最短時間が長いため、ディスクリネーションによる明るさの低下を無視することができない。また、隣接画素におけるオン／オフ隣接期間が長いため、液晶分子の応答速度に応じてディスクリネーションによる明るさの低下量が増大していく。
【００１０】
図２２は、特許文献１に開示された全階調データを示す。Ａサブフレーム期間は時間重み１＋２＋４＋８に相当し、Ｂサブフレーム期間はそれぞれ時間重み８に相当する複数の分割サブフレーム期間１ＳＦ（ＳＦはサブフレーム）〜１０ＳＦに分割されている。１つの分割サブフレーム期間は０．６９ｍｓである。この階調データでは、隣接画素におけるオン／オフ隣接期間の最短時間は２つの分割サブフレーム期間に相当する１．３９ｍｓである。したがって、ディスクリネーションによる明るさの低下（つまりは暗線）が目立つ。
【００１１】
また、特許文献２にて開示された方法では、全画素共通の補正値を加算するため、大きく補正をかけるとフリッカー等の低階調での弊害が発生する可能性がある。
【００１２】
そこで本発明は、ディスクリネーションによる画質の低下を軽減するとともにフリッカーを低減することが可能な液晶駆動装置、画像表示装置、および、プログラムを提供する。
【課題を解決するための手段】
【００１３】
本発明の一側面としての液晶駆動装置は、液晶素子を駆動する液晶駆動装置であって、連続して入力される入力フレーム画像データのそれぞれに対して第１のフレーム画像データおよび第２のフレーム画像データを生成する画像データ生成手段と、前記第１のフレーム画像データおよび前記第２のフレーム画像データのそれぞれに基づいて、順次、１フレーム期間に含まれる複数のサブフレーム期間のそれぞれにおいて前記液晶素子の画素に対する第１の電圧の印加と該第１の電圧より低い第２の電圧の印加を制御することで該画素に階調を形成させる駆動手段とを有し、前記画像データ生成手段は、前記第１のフレーム画像データおよび前記第２のフレーム画像データの少なくとも一方に対して、前記入力フレーム画像の階調に応じた値を加算する。
【００１４】
本発明の他の側面としての画像表示装置は、液晶素子と、前記液晶駆動装置とを有する。
【００１５】
本発明の他の側面としてのプログラムは、コンピュータに、液晶素子を駆動させるプログラムであって、連続して入力される入力フレーム画像データのそれぞれに対して第１のフレーム画像データおよび第２のフレーム画像データを生成するステップと、前記第１のフレーム画像データおよび前記第２のフレーム画像データのそれぞれに基づいて、順次、１フレーム期間に含まれる複数のサブフレーム期間のそれぞれにおいて前記液晶素子の画素に対する第１の電圧の印加と該第１の電圧より低い第２の電圧の印加を制御することで該画素に階調を形成させるステップとを前記コンピュータに実行させ、前記第１のフレーム画像データおよび前記第２のフレーム画像データを生成するステップは、前記第１のフレーム画像データおよび前記第２のフレーム画像データの少なくとも一方に対して、前記入力フレーム画像の階調に応じた値を加算するステップを含む。
【００１６】
本発明の他の目的及び特徴は、以下の実施例において説明される。
【発明の効果】
【００１７】
本発明によれば、ディスクリネーションによる画質の低下を軽減するとともにフリッカーを低減することが可能な液晶駆動装置、画像表示装置、および、プログラムを提供することができる。
【図面の簡単な説明】
【００１８】
【図１】実施例１における液晶プロジェクタの光学構成を示す図である。
【図２】実施例１におけるプロジェクタに用いられる液晶素子の断面図である。
【図３】実施例１における１フレーム期間内の複数のサブフレーム期間を示す図である。
【図４】実施例１におけるＡサブフレーム期間の階調データを示す図である。
【図５】実施例１における全階調データを示す図である。
【図６】実施例１における画素ラインを示す図である。
【図７】実施例１における全白表示から白黒表示に切り替えたときの液晶の応答特性を示す図である。
【図８】実施例１における全白表示から白黒表示に切り替えたときの明るさの応答特性を示す図である。
【図９】実施例１における全黒表示から白黒表示に切り替えたときの液晶の応答特性を示す図である。
【図１０】実施例１における全面黒から白黒表示に切り替えたときの明るさの応答特性を表す図である。
【図１１】実施例１における液晶ドライバの構成を示すブロック図である。
【図１２】実施例１における補正回路の詳細構成を示すブロック図である。
【図１３】実施例１における入力データに関するオフセット量を示す図である。
【図１４】実施例１における液晶素子に順次表示されるフレーム画像を示す図である。
【図１５】実施例１における液晶素子に順次表示されるフレーム画像を示す別の図である。
【図１６】実施例１における入力データに関するオフセット量を示す別の図である。
【図１７】実施例１における入力データに関するオフセット量を示す更に別の図である。
【図１８】実施例２における液晶ドライバの構成を示すブロック図である。
【図１９】実施例２におけるＶＴガンマ回路の詳細構成を示すブロック図である。
【図２０】従来における１フレーム期間内の複数のサブフレーム期間を示す図。
【図２１】従来における全階調データおよびこの階調データに従って液晶素子を駆動した場合のディスクリネーションを示す図である。
【図２２】特許文献１の全階調データを示す図である。
【発明を実施するための形態】
【００１９】
以下、本発明の実施例について、図面を参照しながら詳細に説明する。
【実施例１】
【００２０】
図１には、本発明の実施例１である画像表示装置としての液晶プロジェクタの光学構成を示している。なお、本実施例では液晶素子を用いた画像表示装置の例としてプロジェクタについて説明するが、画像表示装置には、直視型モニタ等、プロジェクタ以外の液晶素子を用いた画像表示装置も含まれる。
【００２１】
液晶ドライバ３０３は、液晶駆動装置に相当する。液晶ドライバ３０３は、映像入力部（画像取得手段）３０３ａおよび駆動回路部（駆動手段）３０３ｂを有する。映像入力部３０３ａは、不図示の外部機器からの入力映像信号（入力画像）を取得する。駆動回路部３０３ｂは、入力映像信号の階調（入力データ階調）に応じて後述する階調データに対応する画素駆動信号を生成する。画素駆動信号は、レッド、グリーンおよびブルーの色ごとに生成され、それぞれの色用の画素駆動信号がレッド用液晶素子３Ｒ、グリーン用液晶素子３Ｇおよびブルー用液晶素子３Ｂに入力される。これにより、レッド用液晶素子３Ｒ、グリーン用液晶素子３Ｇおよびブルー用液晶素子３Ｂが互いに独立に駆動される。なお、レッド用液晶素子３Ｒ、グリーン用液晶素子３Ｇおよびブルー用液晶素子３Ｂは、垂直配向モードの反射型液晶素子（液晶パネル）である。
【００２２】
照明光学系３０１は、光源（放電ランプ等）からの白色光をその偏光方向を揃えてダイクロイックミラー３０５に入射させる。ダイクロイックミラー３０５は、マゼンタ光を反射してグリーン光を透過する。ダイクロイックミラー３０５により反射されたマゼンタ光はブルークロスカラー偏光子３１１に入射し、ここでブルー光にのみ半波長のリタデーションが与えられることで互いに偏光方向が直交するブルー光とレッド光が生成される。ブルー光とレッド光は偏光ビームスプリッタ３１０に入射し、ブルー光は偏光ビームスプリッタ３１０の偏光分離膜を透過してブルー用液晶素子３Ｂに導かれる。また、レッド色成分は偏光分離膜で反射されてレッド用液晶素子３Ｒに導かれる。
【００２３】
一方、ダイクロイックミラー３０５を透過したグリーン光は、光路長を補正するためのダミーガラス３０６を通過して偏光ビームスプリッタ３０７に入射し、その偏光分離膜で反射されてグリーン用液晶素子３Ｇに導かれる。
【００２４】
各液晶素子（３Ｒ，３Ｇ，３Ｂ）は、各画素の変調状態に応じて入射した光を変調するとともに反射する。レッド用液晶素子３Ｒにて変調されたレッド光は、偏光ビームスプリッタ３１０の偏光分離膜を透過してレッドクロスカラー偏光子３１２に入射し、ここで半波長のリタデーションが与えられる。そして、このレッド光は、偏光ビームスプリッタ３０８に入射し、その偏光分離膜で反射されて投影光学系３０４に向かう。ブルー用液晶素子３Ｂにより変調されたブルー光は、偏光ビームスプリッタ３１０の偏光分離膜で反射され、レッドクロスカラー偏光子３１２をそのまま通過し、偏光ビームスプリッタ３０８に入射してその偏光分離膜で反射されて投影光学系３０４に向かう。グリーン用液晶素子３Ｇにより変調されたグリーン光は、偏光ビームスプリッタ３０７の偏光分離膜を透過し、光路長を補正するためのダミーガラス３０９を通過し、偏光ビームスプリッタ３０８に入射してその偏光分離膜を透過して投影光学系３０４に向かう。こうして投影光学系３０４には色合成されたレッド光、グリーン光およびブルー光が入射する。そして、色合成されたカラー光は、投影光学系３０４によってスクリーン等の被投射面３１３に拡大投射される。
【００２５】
なお、本実施例では、反射型液晶素子を用いる場合について説明するが、透過型液晶素子を用いてもよい。
【００２６】
図２には、反射型液晶素子（３Ｒ，３Ｇ，３Ｂ）の断面構造を示している。１０１はＡＲコート膜、１０２はガラス基板、１０３は共通電極、１０４は配向膜、１０５は液晶層、１０６は配向膜、１０７は画素電極、１０８はＳｉ基板である。
【００２７】
図１に示す液晶ドライバ３０３は、上述したサブフレーム駆動方式で各画素を駆動する。すなわち、１フレーム期間を時間軸上で複数のサブフレーム期間に分割し、階調データに応じてサブフレーム期間ごとに画素に対する所定電圧のオン（印加）とオフ（非印加）を制御することで該画素に階調を形成（表示）させる。１フレーム期間は、液晶素子に１フレーム画像が表示される期間である。本実施例では液晶素子を１２０Ｈｚで駆動するものとして、１フレーム期間を８．３３ｍｓとする。所定電圧のオンとオフは、第１の電圧（所定電圧）の印加と第１の電圧より低い第２の電圧の印加と言い換えることもできる。
【００２８】
以下、液晶ドライバ３０３におけるサブフレーム期間の設定と階調データについて説明する。液晶ドライバ３０３をコンピュータにより構成し、プログラム（液晶駆動プログラム）に従って以下のサブフレーム期間の設定とサブフレーム期間ごとの所定電圧のオン／オフを制御するようにしてもよい。
【００２９】
図３には、本実施例における１フレーム期間の複数のサブフレーム期間（ビット長）への分割を示している。各サブフレーム上に記載された数値は、そのサブフレームの１フレーム期間内での時間重みを示す。本実施例では、９６階調を表現する。また、ここでの説明では、時間重み１＋２＋４＋８の期間をＡサブフレーム期間（第１の期間）といい、Ａサブフレーム期間にてバイナリ表現された階調を示すビットを下位ビットという。また、時間重み８の１０個のサブフレーム期間をまとめてＢサブフレーム期間（第２の期間）といい、Ｂサブフレーム期間にてバイナリ表現された階調を示すビットを上位ビットという。時間重み１は０．０８７ｍｓに相当し、時間重み８は０．６９ｍｓに相当する。
【００３０】
さらに、上述した所定電圧をオン（第１の電圧を印加）するサブフレーム期間をオン期間といい、所定電圧をオフする（第２の電圧を印加する）サブフレーム期間をオフ期間という。
【００３１】
図４には、図３に示したＡサブフレーム期間の階調データを示す。縦軸は階調を、横軸は１フレーム期間を示す。Ａサブフレーム期間では、１６階調を表現する。図中の白いサブフレーム期間は画素が白表示状態となるように上述した所定電圧が印加されたオン期間を示し、黒いサブフレーム期間は画素が黒表示状態となるように所定電圧がオフされたオフ期間を示す。
【００３２】
図５には、本実施例におけるＡおよびＢサブフレーム期間（下位および上位ビット）の階調データを示している。この階調データは、全階調として９６階調を表現するための階調データである。この階調データにおいて、１フレーム期間の時間中心にはＡサブフレーム期間（下位ビット）が配置され、その前後にＢサブフレーム期間（上位ビット）が１ＳＦ〜５ＳＦと６ＳＦ〜１０ＳＦとに分割されて配置されている。つまり、Ｂサブフレーム期間が２つに分割され、それぞれのＢサブフレーム期間に２つ以上のサブフレーム期間が含まれる。
【００３３】
この階調データによれば、液晶素子における互いに隣接する２画素である隣接画素に互いに隣接する２階調である隣接階調、例えば４８階調と４９階調を表示させる場合には、Ａサブフレーム期間を４８階調ではオン期間、４９階調ではオフ期間とする。また、４８階調では、Ｂサブフレーム期間のうち１ＳＦ，４ＳＦ，５ＳＦ，６ＳＦ，７ＳＦ，１０ＳＦをオフ期間とし、２ＳＦ，３ＳＦ，８ＳＦ，９ＳＦをオン期間とする。一方、４９階調では、Ｂサブフレーム期間のうち１ＳＦ，５ＳＦ，６ＳＦ，１０ＳＦをオフ期間とし、２ＳＦ，３ＳＦ，４ＳＦ，７ＳＦ，８ＳＦ，９ＳＦをオン期間とする。そして、このような隣接階調を隣接画素に表示される際には、隣接画素においてオン期間とオフ期間とが重なるオン／オフ隣接期間が生ずる。具体的には、隣接画素に４８階調と４９階調を表示させる場合には、Ｂサブフレーム期間のうち４ＳＦと７ＳＦとがオン／オフ隣接期間となる。
【００３４】
ここで、本実施例の階調データを図２２に示した従来（特許文献１）の階調データと比較する。図２２の階調データではＡサブレーム期間の後にＢサブフレーム期間が１まとまりで継続しているが、図５に示す本実施例の階調データではＡサブレーム期間の前後にＢサブフレーム期間が分割して配置されている。例えば４８階調と４９階調に注目すると、図２２ではＢサブフレーム期間のうち５ＳＦと６ＳＦがオン／オフ隣接期間になっており、時間重みとして１６のオン／オフ隣接期間が継続している。このことは、他の隣接階調である１６階調と１７階調、３２階調と３３階調、６４階調と６５階調、８０階調と８１階調等についても同じである。これに対して、図５に示す本実施例では、上記のいずれの隣接階調においても、Ｂサブフレーム期間においてオン／オフ隣接期間が継続するのは時間重みとてして８の１サブフレーム期間（＝０．６９ｍｓ）となっている。そして、この１サブフレーム期間であるオン／オフ隣接期間がＡサブレーム期間を挟んで互いに離れて複数（２つ）存在する。
【００３５】
次に、本実施例のようにオン／オフ隣接期間が分散配置されることにより得られる効果について説明する。
【００３６】
まず、図６に示すようにマトリックス状に配置された画素が、全白表示状態から１画素ラインごとに白と黒が交互に表示される白黒表示状態に切り替わるときと、全黒表示状態から白黒表示状態に切り替わるときの液晶の応答特性について説明する。図６に示す４×４個の画素は、８μｍの画素ピッチでマトリクス状に配置されている。全白表示状態では図６中のＡ画素ラインの画素およびＢ画素ラインの画素のいずれもが白を表示する。白黒表示状態では、Ａ画素ラインの画素が白表示状態から黒表示状態に切り替わり、Ｂ画素ラインの画素が白表示状態のまま維持される。
【００３７】
図７には、液晶の応答特性を示している。横軸は画素の位置を、縦軸は各画素における明るさ（ただし、白を１としたときの比率）を示している。横軸の０〜８μｍは図６に示したＡ画素ラインの画素を、８μｍ〜１６μｍはＢ画素ラインの画素を示している。複数の曲線は、全白表示状態から白黒表示状態への切り替え時点を０ｍｓとしたときの経過時間（０．３ｍｓ，０．６ｍｓ，１．０ｍｓ，１．３ｍｓ）ごとの明るさを示す。
【００３８】
上述したようにＡ画素ラインの画素が白表示状態から黒表示状態に切り替わるが、液晶におけるプレチルト角度の向きの関係からＡ画素ラインの画素はディスクリネーションの影響を受けずに比較的均一に明るさが変化していく（暗くなっていく）。一方、Ｂ画素ラインの画素では、全白表示状態ではディスクリネーションは発生していない。しかし、白黒表示状態になった後からディスクリネーションの影響を受けて時間の経過とともに徐々に明るさ曲線がいびつな形になり、特に１２μｍ〜１６μｍ付近で暗くなる（暗線が現れる）。
【００３９】
一般に、入力データ階調に対する液晶素子の駆動階調を決めるガンマ曲線（ガンマ特性）はディスクリネーションが発生しない液晶素子全面に同じ階調を表示させながらその階調を変化させた場合の応答特性を前提として作成される。このため、そのようなガンマ曲線を用いて液晶素子を駆動すると、白黒表示状態にてディスクリネーションが発生し、そのガンマ曲線に応じた本来の明るさよりも低い明るさしか得ることができない。
【００４０】
図８には、液晶素子を全白表示状態から白黒表示状態に切り替えたときのディスクリネーションの有無による明るさの変化を示している。横軸は切り替え時点からの経過時間を、縦軸はＡおよびＢ画素ラインの画素のトータルな明るさの積分値（以下、単に明るさという）の変化を示す。明るさは、全白表示状態を１としたときの比率で示している。ディスクリネーションが発生する（「ディスクリネーション有り」の）場合には、Ａ画素ラインの画素の明るさは図７の１〜６μｍ付近に示す応答特性に近い特性で変化し、Ｂ画素ラインの画素の明るさは全域１００％の明るさで白が表示された状態となる。そして、この後の時間経過に伴い、ディスクリネーションが発生した場合の明るさの低下量はディスクリネーションが発生しない（「ディスクリネーション無し」の）場合の明るさの低下量に比べて大きくなっていく。
【００４１】
一方、全黒表示状態から白黒表示に切り替えるときには、図６に示したＡ画素ラインの画素よびＢ画素ラインの画素がともに黒表示状態から、Ａ画素ラインの画素を黒表示状態としたままＢ画素ラインの画素を白表示状態とする。図９には、このときの液晶の応答特性を示している。横軸は画素の位置を、縦軸は各画素における明るさ（ただし、白を１としたときの比率）を示している。横軸の０〜８μｍは図６に示したＡ画素ラインの画素を、８μｍ〜１６μｍはＢ画素ラインの画素を示している。複数の曲線は、全黒表示状態から白黒表示状態への切り替え時点を０ｍｓとしたときの経過時間（０．３ｍｓ，０．６ｍｓ，１．０ｍｓ，１．３ｍｓ）ごとの明るさを示す。
【００４２】
上述したようにＢ画素ラインの画素が黒表示状態から白表示状態に切り替わるが、Ｂ画素ラインの画素では、白表示状態になった後からディスクリネーションの影響を受けて時間の経過とともに徐々に明るさ曲線がいびつな形になる。そして、特に１２μｍ〜１６μｍ付近で暗くなる（暗線が現れる）。また、時間経過に伴って明るさ曲線のいびつな形が顕著になっていく。
【００４３】
先にも説明したように、一般に入力データ階調に対する液晶素子の駆動階調を決めるガンマ曲線（ガンマ特性）はディスクリネーションが発生しない液晶素子全面に同じ階調を表示させながらその階調を変化させた場合の応答特性を前提として作成される。このため、そのようなガンマ曲線を用いて液晶素子を駆動すると、白黒表示状態にてディスクリネーションが発生し、そのガンマ曲線に応じた本来の明るさよりも低い明るさしか得ることができない。
【００４４】
図１０には、液晶素子を全黒表示状態から白黒表示状態に切り替えたときのディスクリネーションの有無による明るさの変化を示している。横軸は切り替え時点からの経過時間を、縦軸はＡおよびＢ画素ラインの画素のトータルな明るさの積分値（以下、単に明るさいい、全白表示状態を１としたときの比率で示す）を示す。ディスクリネーションが発生しない（「ディスクリネーション無し」の）場合の明るさとしては、Ａ画素ラインの画素は常に黒表示状態であり、Ｂ画素ラインの画素が黒表示状態から白表示状態に切り替わっていくときの明るさの変化を示している。一方、ディスクリネーションが発生する（「ディスクリネーション有り」の）場合は、図９に示したＡ画素ラインの画素とＢ画素ラインの画素の明るさの和の積分値の変化を示している。
【００４５】
図１０において、ディスクリネーションが発生する場合は、ディスクリネーションが発生しない場合に比べて、時間経過に伴う明るさの増加量が少ない。すなわち、全黒表示状態から白黒表示状態に切り替わった後にディスクリネーションが発生する時間が長いほど、ディスクリネーションが発生しない場合に対してより暗くなる。
【００４６】
次に、図２２に示した従来の階調データによってＡ画素ラインの画素に４８階調を表示させ、Ｂ画素ラインの画素に４９階調を表示させる場合について説明する。この階調データを用いる場合にディスクリネーションが発生する期間は、Ａ画素ラインの画素が黒表示状態でＢ画素ラインの画素が白表示状態というディスクリネーション発生表示状態となるＢサブフレーム期間における５ＳＦと６ＳＦである。５ＳＦの前の４ＳＦはＡ画素ラインの画素およびＢ画素ライン画素のいずれも白表示状態であり、ディスクリネーションは発生しない期間である。
【００４７】
５ＳＦから６ＳＦまでの液晶の応答特性は図８における「ディスクリネーション有り」に相当する特性となる。４ＳＦでは全白表示状態であるため明るさは１００％出力されており、５ＳＦの開始時から６ＳＦの終了時までの１．３９ｍｓの間にディスクリネーションが発生するため、５ＳＦの開始時が図８における０ｍｓに相当し、６ＳＦの終了時が１．３９ｍｓに相当する。このとき、明るさは、ディスクリネーションが発生しない場合の０．５に対して０．２７まで低下する。前述したように全面同一階調を前提として作成されるガンマ特性を基準とすると、ディスクリネーションが発生する５ＳＦから６ＳＦまでに比率において５４％（＝０．２７／０．５）と暗くなる。
【００４８】
一方、本実施例において、図５に示した階調データによってＡ画素ラインの画素（第２の画素）に４８階調を表示させ、Ｂ画素ラインの画素（第１の画素）に４９階調を表示させる場合について説明する。この階調データを用いる場合にディスクリネーションが発生する期間は、Ａ画素ラインの画素とＢ画素ラインの画素が上記ディスクリネーション発生表示状態となるＢサブフレーム期間における４ＳＦと７ＳＦである。４ＳＦの前の３ＳＦはＡ画素ラインの画素およびＢ画素ラインの画素がともに白表示状態であり、ディスクリネーションは発生しない期間である。
【００４９】
４ＳＦでの液晶の応答特性は、図８における「ディスクリネーション有り」に相当する特性となる。３ＳＦでは全白表示状態であるため明るさは１００％出力されており、４ＳＦの０．６９ｍｓの間にディスクリネーションが発生するため、４ＳＦの開始時が図８の０ｍｓに相当し、４ＳＦの終了時が０．６９ｍｓに相当する。このとき、明るさは、ディスクリネーションが発生しない場合の０．７に対して０．６５までしか低下しない。
【００５０】
また、もう１つのディスクリネーションが発生するサブフレーム期間である７ＳＦでの液晶の応答特性は、図１０における「ディスクリネーション有り」に相当する特性となる。６ＳＦでは全黒表示状態であるため明るさは０％であり、７ＳＦの０．６９ｍｓの間にディスクリネーションが発生するため、７ＳＦの開始時が図１０の０ｍｓに相当し、７ＳＦの終了時が０．６９ｍｓに相当する。このとき、明るさは、ディスクリネーションが発生しない場合の０．２５に対して０．１８までしか低下しない。
【００５１】
そして、４ＳＦと７ＳＦでディスクリネーションが発生しない場合の明るさの和は０．９５（＝０．７０＋０．２５）となるのに対して、ディスクリネーションが発生する場合の明るさの和は０．８３（＝０．６５＋０．１８）となる。全面同一階調を前提として作成されるガンマ特性を基準とすると、ディスクリネーション発生表示状態では比率で８７％（＝０．８３／０．９５）までしか暗くならない。すなわち、本実施例によれば、明るさの低下を抑制することができる。
【００５２】
次に、他の隣接階調を表示する場合について説明する。まず図２２に示した従来の階調データによって図６に示したＡ画素ラインの画素に１６階調を表示させ、Ｂ画素ラインの画素に１７階調を表示させる場合について説明する。この階調データを用いる場合にディスクリネーションが発生する期間は、Ａ画素ラインの画素が黒表示状態でＢ画素ラインの画素が白表示状態というディスクリネーション発生表示状態となるＢサブフレーム期間における１ＳＦと２ＳＦである。
【００５３】
１ＳＦから２ＳＦまでの液晶の応答特性は、図１０における「ディスクリネーション有り」に相当する特性となる。１ＳＦの開始時から２ＳＦの終了時までの１．３９ｍｓの間にディスクリネーションが発生する。このため、１ＳＦの開始時が図１０における０ｍｓに相当し、２ＳＦの終了時が１．３９ｍｓに相当する。このとき、明るさは、ディスクリネーションが発生しない場合の０．５に対して０．２７まで低下する。実施例１で述べたように全面同一階調を前提として作成されるガンマ特性を基準とすると、ディスクリネーションが発生する１ＳＦから２ＳＦまでに比率で５４％（＝０．２７／０．５）と暗くなる。
【００５４】
一方、本実施例において、図５に示した階調データによってＡ画素ラインの画素（第２の画素）に１６階調を表示させ、Ｂ画素ラインの画素（第１の画素）に１７階調を表示させる場合について説明する。この階調データを用いる場合にディスクリネーションが発生する期間は、Ａ画素ラインの画素とＢ画素ラインの画素が上記ディスクリネーション発生表示状態となるＢサブフレーム期間における３ＳＦと８ＳＦである。３ＳＦの前の２ＳＦではＡ画素ラインの画素およびＢ画素ラインの画素のいずれも黒表示状態であり、ディスクリネーションは発生しない期間である。３ＳＦでの液晶の応答特性は、図１０における「ディスクリネーション有り」に相当する特性となる。２ＳＦでは全黒表示状態であるため明るさは０％であり、３ＳＦの０．６９ｍｓの間にディスクリネーションが発生するため、３ＳＦの開始時が図１０の０ｍｓに相当し、３ＳＦの終了時が０．６９ｍｓに相当する。このとき、明るさは、ディスクリネーションが発生しない場合の０．２５に対して０．１８までしか低下しない。
【００５５】
また、もう１つのディスクリネーションが発生するサブフレーム期間である８ＳＦでの液晶の応答特性も図１０における「ディスクリネーション有り」に相当する特性となる。７ＳＦでは全黒表示状態であるため明るさは０％であり、８ＳＦの０．６９ｍｓの間にディスクリネーションが発生するため、８ＳＦの開始時が図１０の０ｍｓに相当し、８ＳＦの終了時が０．６９ｍｓに相当する。このとき、明るさは、ディスクリネーションが発生しない場合の０．２５に対して０．１８までしか低下しない。
【００５６】
そして、３ＳＦと８ＳＦでディスクリネーションが発生しない場合の明るさの和は０．５０（＝０．２５＋０．２５）となるのに対して、ディスクリネーションが発生する場合の明るさの和は０．３６（＝０．１８＋０．１８）となる。全面同一階調を前提として作成されるガンマ特性を基準とすると、ディスクリネーション発生表示状態では比率で７２％（＝０．３６／０．５０）までしか暗くならない。すなわち、本実施例によれば、明るさの低下を抑制することができる。
【００５７】
このように、本実施例では、隣接階調を表示する際にディスクリネーション発生表示状態となるオン／オフ隣接期間を１フレーム期間内で複数互いに離して（分散させて）設けることで１つの連続したオン／オフ隣接期間を短くしている。すなわち、ディスクリネーションによる明るさ低下が大きくなる前に隣接画素でのディスクリネーション発生表示状態を他の表示状態に移行させる。これにより、ディスクリネーションを原因とした明るさ低下を抑制して暗線が目立たないようにすることができ、良好な画質の画像を表示することができる。
【００５８】
以上説明した液晶素子の駆動方法（以下、第１の駆動方法という）によってディスクリネーションの発生を抑制することが可能である。しかし、よりディスクリネーションによる暗線を目立たなくするために、本実施例では以下のような駆動方法（以下、第２の駆動方法という）も併せ用いる。
【００５９】
図１１は、液晶ドライバ３０３の内部構成を示すブロック図である。スケーラ４００は、図１に示した映像入力部３０３ａに相当し、ＤＶＩやＨＤＭＩ（登録商標）等の不図示のレシーバーＩＣを介して入力映像信号を取り込む。スケーラ４００は、そのスケーリング機能により入力映像信号をダウンコンバートまたはアップコンバートして所定の画像フォーマットの入力画像データを出力する。入力画像データは、連続する複数の入力フレーム画像データにより構成されている。
【００６０】
駆動回路部３０３ｂは、スケーラ４００からの入力フレーム画像データを順次受け取り、液晶素子３（図１に示される３つの液晶素子３Ｒ，３Ｇ，３Ｂ）のそれぞれの各画素を駆動する、すなわち各画素に階調を表示させるための画素駆動信号を生成する。駆動回路部３０３ｂは、倍速回路４１１、ＶＴガンマ回路４１２、補正回路４１３、色ムラ回路４１４および、ＰＷＭ回路４１５を含む。
【００６１】
倍速回路４１１は、各入力フレーム画像データをＤＤＲメモリ４２０に書き込み、１つの入力フレーム画像データに対して複数のフレーム画像データを生成する。本実施例では、入力周波数が６０Ｈｚである場合に、１２０Ｈｚに相当する周期で２つのフレーム画像データを生成する。以下の説明において、これら２つのフレーム画像データのうち一方をＯＤＤ（奇数）入力フレームデータ（第１のフレーム画像データ）といい、他方をＥＶＥＮ（偶数）入力フレームデータ（第２のフレーム画像データ）という。これらＯＤＤおよびＥＶＥＮ入力フレームデータは、入力フレーム画像データと同じ画像データである。つまり、ＯＤＤおよびＥＶＥＮ入力フレームデータ間において互いに対応する画素位置の画素データ同士は同じ階調を有する。
【００６２】
ＶＴガンマ回路４１２は、倍速回路４１１から出力されたＯＤＤおよびＥＶＥＮ出力フレームデータに対して、液晶素子３の応答特性によって変化する階調特性に応じて必要な光学特性が得られるように、所定のガンマテーブルに従ってガンマ補正を行う。補正回路４１３は、ＶＴガンマ回路４１２からの出力データ（画像データ）に対して階調に応じた補正（オフセット加算）を行い、補正画像データを生成する。本実施例において、倍速回路４１１、ＶＴガンマ回路（ガンマ補正手段）４１２、および、補正回路（加算手段）４１３は、画像データ生成手段を構成する。
【００６３】
色ムラ回路４１４は、補正回路４１３からのオフセット加算後のＯＤＤおよびＥＶＥＮ出力フレームデータ（補正フレーム画像データ）に対して、液晶素子（液晶パネル）３を含むプロジェクタの光学系において発生する色ムラを補正する。ＰＷＭ回路（駆動手段）４１５は、色ムラ回路４１４から出力されたＯＤＤおよびＥＶＥＮ出力フレームデータに基づいて、液晶素子３を前述したサブフレーム駆動方式で駆動する。
【００６４】
次に、図１２を参照して、補正回路４１３の動作について詳述する。図１２は、補正回路４１３の詳細なブロック図である。補正回路４１３は、データ検出回路４１６、加算回路４１７、および、加算テーブル４１８を有する。データ検出回路４１６は、ＶＴガンマ回路４１２からの出力データを受けて、データ階調を検出する。加算回路４１７は、データ検出回路４１６から出力されたデータに、加算テーブル４１８に従って、データ検出回路４１６から出力されたデータに応じた値を加算する。
【００６５】
図１３は、加算テーブル４１８（入力データに応じたオフセット量のテーブル）の一例であり、データ検出回路４１６への入力データ階調（入力フレーム画像）が０〜５の場合、加算値（オフセット量）を０とする。入力データ階調が０〜５の範囲では、液晶駆動に対して位相差（隣接画素においてオン期間とオフ期間の差）が殆どなく、加算値（オフセット量）を０としても、ディスクリネーションの影響は殆どない。入力データ階調８近傍の入力データ階調６〜１２の範囲では、オフセット量を１とする。入力データ階調１６近傍の入力データ階調１３〜２７の範囲では、オフセット量を２とする。入力データ階調３２近傍の入力データ階調２８〜５８の範囲では、オフセット量を３とする。入力データ階調６４近傍の入力データ階調５９〜９５の範囲では、オフセット量を４とする。
【００６６】
つまり、ＰＷＭの液晶駆動の位相差が発生しやすい２のべき乗の入力データ８、１６、３２、６４近傍で、オフセット量を「２のべき乗の入力データの指数−所定の第１の定数（本実施例では２）」とし、入力データに応じてオフセット量を変化させる。例えばオフセット量は、８近傍の場合、３−２＝１となり、１６近傍の場合、４−２＝２となる。また、範囲を、「２のべき乗の入力データ−２のべき乗の入力データの指数＋所定の第２の定数（本実施例では１）」としている。例えば、８近傍は、８−３＋１＝６、１６近傍は、１６−４＋１＝１３、３２近傍は、３２−５＋１＝２８となり、６〜１２が８近傍のオフセット量、１３〜２７が１６近傍のオフセットとなる。加算回路４１７は、倍速回路４１１からのＯＤＤおよびＥＶＥＮのフレーム情報を受けて、加算テーブル４１８のオフセット量のテーブルを加算回路４１７による加算を＋加算する又は減算（オフセット量を−加算）のいずれにするかを決定する。例えばＯＤＤで＋加算の場合、ＥＶＥＮでは減算とする。一方、ＥＶＥＮで＋加算の場合、ＯＤＤでは減算とする。すなわち加算回路４１７は、第１のフレーム画像データに第１の値を加算した場合、第２のフレーム画像データから第１の値を減算し、第２のフレーム画像データに第２の値を加算した場合、第１のフレーム画像データから第２の値を減算する。このように入力データに対してフレーム毎に＋と−のオフセットをかけながら駆動して階調を維持する。
【００６７】
図１４は、液晶素子３に順次表示されるフレーム画像を示す図であり、図１３に示す加算テーブルを用いた場合の表示状態を示している。図１４（Ａ）は通常の駆動状態であり、入力画像データが図１４（Ａ）に示すようなグラデーションの場合、２のべき乗（ここでは２の３乗）の８毎にディスクリネーションが発生する図を示している。通常の駆動状態を示す図１４（Ａ）において、８の階調毎にディスクリネーションをＮフレームのＯＤＤフレーム（１ｓｔフレーム）、ＮフレームのＥＶＥＮフレーム（２ｎｄフレーム）では同じ位置にディスクリネーションを発生させる。図１４（Ａ）に示されるように、視認画像は濃いディスクリネーションを視認させる。
【００６８】
図１４（Ｂ）は、図１３の入力データに応じたオフセット量を加算したときの、倍速化されたＯＤＤフレーム（１ｓｔ）／ＥＶＥＮフレーム（２ｎｄ）のディスクリネーションの発生状態を示す。ここでは、ＯＤＤフレーム（１ｓｔ）に対して、オフセット量を＋加算した場合の表示を表す。例えば、ディスクリネーションが発生しやすい入力画像データ階調が８の場合、１加算される。よって、ディスクリネーション発生位置は、９の位置に表示される。入力画像データ階調が１６の場合、２加算される。よって、ディスクリネーション発生位置は、１８の位置に表示される。入力画像データ階調が３２の場合、３加算される。よって、ディスクリネーション発生位置は、３５の位置に表示される。ここでは、ＥＶＥＮフレーム（２ｎｄ）に対して、オフセット量を−加算した場合の表示を表す。例えば、ディスクリネーションが発生しやすい入力画像データ階調が８の場合、−１加算される。よって、ディスクリネーション発生位置は、７の位置に表示される。入力画像データ階調が１６の場合、−２加算される。よって、ディスクリネーション発生位置は、１６の位置に表示される。また入力画像データ階調が３２の場合は、−３加算される。よって、ディスクリネーション発生位置は、２９の位置に表示される。
【００６９】
図１５（Ａ）、（Ｂ）は、具体的な表示画像（フレーム画像）の例を示している。図１５（Ｃ）は、本来表示されるべき表示画像を示している。図１５（Ａ）は、補正回路４１３で階調毎のオフセット加算がかけられずに生成されたＯＤＤおよびＥＶＥＮ出力フレームデータにより液晶素子３を順次駆動した場合の１ｓｔフレームと２ｎｄフレームを示している。また、図の最も左側には、観察者により視認される画像を示している。１ｓｔフレームと２ｎｄフレームにおけるディスクリネーションによる暗線の位置が同じであるので、視認画像においても暗線がある程度目立つ。
【００７０】
一方、図１５（Ｂ）は、ＯＤＤフレーム（１ｓｔ）に＋オフセット、ＥＶＥＮフレーム（２ｎｄ）に−オフセットをかけて生成されたＯＤＤおよびＥＶＥＮ出力フレームデータにより液晶素子３を順次駆動した場合の１ｓｔフレームと２ｎｄフレームを示している。外側の最も明るい階調は、１ｓｔフレームでの６４に対して、２ｎｄフレームでは５８となっている。１ｓｔフレーム上でのディスクリネーションによる暗線の位置と２ｎｄフレーム上での暗線の位置とは互いにずれている。このため、図の最も左側に示す視認画像では、１ｓｔフレームと２ｎｄフレームとが平均化されることで、暗線はほぼ目立たなくなっている。本実施例では、ディスクリネーションの影響が少なくかつフリッカーに敏感な低階調では、オフセット量を小さくし、ディスクリネーションの影響が大きくかつフリッカーの影響が小さい高階調に向けてオフセット量を大きくしていく。
【００７１】
図１７に示されるように、ディスクリネーション発生階調が無い９２階調以降のオフセット量を０としてもよい。図１３のテーブルの場合、予め、入力階調データの最大値が９１になるようにゲイン等をかけ、オフセットを４かけて９５となるようにする必要がある。すなわち、図１３のテーブルの場合、最大階調付近（例えば入力データ階調が９５）では、オフセット量４を加算しても９５であるためオフセット加算を行うことができない。その結果、実質的に減算のみが有効になって画像が暗くなる。一方、図１７のテーブルのように最大階調付近でのオフセット量を０にすることにより、最大階調付近での画像が暗くなることを回避することができる。本実施例では、最大階調である入力データ階調９５からオフセット量４を減算した値９１まではオフセット量の加算が可能であり画像が暗くなることないため、入力データ階調９２以降のオフセット量を０としてもよい。図１７のテーブルでは、９２−９５階調でのＯＤＤフレーム（１ｓｔ）とＥＶＥＮフレーム（２ｎｄ）の平均化時ＯＤＤフレーム（１ｓｔ）で階調９５を維持することができる。
【００７２】
また、図１６のテーブルのように、２のべき乗の８、１６、３２の階調近傍のみディスクリネーションの発生しやすい入力階調部のみで且つ、べき乗の大きさに応じてオフセット量を変更するようなテーブルでもよい。すなわち画像データ生成手段は、隣接する２つの階調を形成するために互いに異なるように電圧（第１の電圧または第２の電圧）を印加するサブフレーム期間の長さに応じて、オフセット量（加算値、減算値）を変更する。
【００７３】
図１６に示されるように、オフセット量は、入力データ階調が６４付近では４とする。これは、入力データ階調が６３の場合には００１１１１１１（ｂｉｔ）、６４の場合には０１００００００（ｂｉｔ）のようにそれぞれ表され、０と１の位相差（ｂｉｔ変動）が大きいためである。一方、例えば入力データ階調が７２付近ではオフセット量を１とする。これは、入力データ階調が７１の場合には１０００１１１（ｂｉｔ）、７２の場合には１０００１０００（ｂｉｔ）のようにそれぞれ表され、０と１の位相差が比較的小さいためである。これは、例えば入力データ階調が８付近の場合についても同様である。
【００７４】
また好ましくは、画像データ生成手段は、フレーム画像データの階調に応じて、加算値が適用される階調範囲（図１６中の所定のオフセット量の加算範囲（横方向の長さ））を変更する。また好ましくは、画像データ生成手段は、隣接する２つの階調を形成するために互いに異なるように電圧を印加するサブフレーム期間の長さに応じて、階調範囲を変更する。
【００７５】
このように本実施例において、画像データ生成手段は、第１のフレーム画像データおよび第２のフレーム画像データの少なくとも一方に対して、入力フレーム画像の階調に応じた値を加算する。より好ましくは、ガンマ補正手段（ＶＴガンマ回路４１２）は、所定のガンマテーブルに従って、第１のフレーム画像データおよび第２のフレーム画像データのそれぞれに対してガンマ補正を行う。そして加算手段（補正回路４１３）は、ガンマ補正後の第１のフレーム画像データおよび第２のフレーム画像データの少なくとも一方に対して、入力フレーム画像の階調に応じた値を加算する。
【実施例２】
【００７６】
次に、図１８および図１９を参照して、本発明の実施例２について説明する。図１８は、本実施例における液晶ドライバ３０３の構成を示すブロック図である。図１９は、本実施例におけるＶＴガンマ回路４１２の詳細構成を示すブロック図である。本実施例の液晶ドライバ３０３は、ＶＴガンマ回路４１２に代えてＶＴガンマ回路４１２ａを有する点、および、補正回路４１３がない点で、実施例１とは異なる。その他の基本構成は実施例１と共通であり、実施例１と共通する構成要素については実施例１と同じ符号を付し、その説明を省略する。
【００７７】
ＶＴガンマ回路４１２ａは、ＶＴガンマのテーブルとしてＶＴガンマ＿ＯＤＤとＶＴガンマ＿ＥＶＥＮのガンマテーブル４１９を有する。またＶＴガンマ回路４１２は加算テーブル４１８を有し、ＶＴガンマ＿ＯＤＤとＶＴガンマ＿ＥＶＥＮのガンマテーブル４１９の階調に従って、倍速回路４１１からの出力データに対して、加算テーブル４１８の階調毎の加算値が加算される。加算テーブル４１８は、実施例１にて説明した、図１３、図１６、または図１７のようなテーブルであり、実施例１と同様に、ガンマテーブルに対してＯＤＤにて加算テーブルの値を＋加算した場合にはＥＶＥＮにて減算（オフセット量を−加算）を行うようにする。
【００７８】
以上のように、液晶の特性に合わせて階調を調整するガンマテーブルに対して液晶のディスクリネーションを軽減するように、データを階調毎にオフセットをかけてもよい。また、加算テーブル４１８からオフセット値を加算させるように説明したが、ＶＴガンマ＿ＯＤＤとＶＴガンマ＿ＥＶＥＮのガンマテーブル４１９に予め階調毎にオフセット値を加算させたガンマテーブルを生成して、オフセットをかけてもよい。なお、実施例１及び実施例２の補正テーブルは一例に過ぎず、これらに限定されるものではない。また、入力階調等、ガンマ補正後の階調等の階調は限定されるものではなく、ＶＴガンマ補正、または色ムラ補正等の階調は入力された階調より拡張された階調で補正されてもよい。
【００７９】
このように本実施例において、ガンマ補正手段（ＶＴガンマ回路４１２ａ）は、ガンマテーブルに従って、第１のフレーム画像データおよび第２のフレーム画像データのそれぞれに対してガンマ補正を行う。またガンマ補正手段は、入力フレーム画像の階調に応じてガンマテーブルを補正することにより、第１のフレーム画像データおよび第２のフレーム画像データの少なくとも一方に対して、入力フレーム画像の階調に応じた値を加算する。
【００８０】
（その他の実施例）
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００８１】
各実施例において、第１および第２のフレーム画像データのそれぞれに基づいて液晶素子を駆動する際のディスクリネーションを階調毎に適正に発生位置をずらす。このため各実施例によれば、ディスクリネーションによる画質の低下を軽減するとともにフリッカーを低減することが可能な液晶駆動装置、画像表示装置、および、プログラムを提供することができる。
【００８２】
以上、本発明の好ましい実施例について説明したが、本発明はこれらの実施例に限定されず、その要旨の範囲内で種々の変形及び変更が可能である。
【００８３】
例えば、各実施例の液晶駆動装置は、液晶素子３の全画素に黒を表示させる（全画素に同一階調である黒階調を形成させる）全黒フレーム画像データ（第１の低階調フレーム画像データおよび第２の低階調フレーム画像データ）を生成することができる。これにより、いわゆる黒挿入を行うことができ、動画の視認性を向上させることができる。このとき画像データ生成手段は、連続して入力される入力フレーム画像データのうち、第１の入力フレーム画像データに対して第１のフレーム画像データを生成するとともに第１のフレーム画像データよりも階調が低い第１の低階調フレーム画像データを生成する。また、画像データ生成手段は、第２の入力フレーム画像データに対して第２のフレーム画像データを生成するとともに第２のフレーム画像データよりも階調が低い第２の低階調フレーム画像データを生成する。そして駆動手段（ＰＷＭ回路４１５）は、第１のフレーム画像データ、第１の低階調フレーム画像データ、第２のフレーム画像データ、および、第２の低階調フレーム画像データのそれぞれに基づいて、画素に階調を形成させる。具体的には、駆動手段は、各画像データに基づいて、順次、１フレーム期間に含まれる複数のサブフレーム期間のそれぞれにおいて液晶素子の画素に対する第１の電圧の印加と第１の電圧よりも低い第２の電圧の印加を制御することで画素に階調を形成させる。
【００８４】
また、黒挿入した場合には、第１のフレーム画像データをＯＤＤフレーム、第２のフレーム画像データをＥＶＥＮフレームとして実施例１にて説明した処理を行うことにより、黒挿入した場合にも本発明を適用することが可能である。
【符号の説明】
【００８５】
３０３  液晶ドライバ（液晶駆動装置）
４１１  倍速回路（画像データ生成手段）
４１２  ＶＴガンマ回路（画像データ生成手段）
４１３  補正回路（画像データ生成手段）
４１５  ＰＷＭ回路（駆動手段）
【図１】
2018185377.tif 000003
【図２】
2018185377.tif 000004
【図３】
2018185377.tif 000005
【図４】
2018185377.tif 000006
【図５】
2018185377.tif 000007
【図６】
2018185377.tif 000008
【図７】
2018185377.tif 000009
【図８】
2018185377.tif 000010
【図９】
2018185377.tif 000011
【図１０】
2018185377.tif 000012
【図１１】
2018185377.tif 000013
【図１２】
2018185377.tif 000014
【図１３】
2018185377.tif 000015
【図１４】
2018185377.tif 000016
【図１５】
2018185377.tif 000017
【図１６】
2018185377.tif 000018
【図１７】
2018185377.tif 000019
【図１８】
2018185377.tif 000020
【図１９】
2018185377.tif 000021
【図２０】
2018185377.tif 000022
【図２１】
2018185377.tif 000023
【図２２】
2018185377.tif 000024